(57)【要約】【課題】  容器の開封を確実に表示できてタンパーエビデント性を一段と高めることができ、且つ懸賞表示等も開栓と同時に表示することができる合成樹脂製キャップを得る。【解決手段】  内周面にネジ山が形成されたスカート壁８と中央部に円形開口部６が形成された天壁７を有するキャップ本体２、円形開口部６に下方から嵌合し天面がキャップ本体の天壁外面とほぼ均一面となるように突出している円形中央突出面１７と、下面にインナーリング１６を有するフランジ部とからなる中栓３との組合せからなり、中栓の円形中央突出面とキャップ本体の天壁外面にわたって剥離表示機能を有する開封ラベル３０を貼付してなり、開栓すると同時に開封ラベルが円形中央突出面から剥離して開封済みや懸賞等のマークを自動的に表示する。【選択図】  図１
2006282178.tif 000002
【特許請求の範囲】
【請求項１】
内周面にネジ山が形成されたスカート壁と中央部に円形開口部が形成されている天壁とを有しているキャップ本体、前記円形開口部に下方から嵌合しその天面が前記キャップ本体の天壁外面とほぼ同一面をなして突出している円形中央突出面と、該円形中央突出面の下面から外方に延び少なくとも容器口部頂面を覆うフランジ部とからなる中栓との組合せからなり、前記中栓の前記円形中央突出面とキャップ本体の天壁外面にわたって剥離表示機能を有する開封ラベルを貼付してなることを特徴とする合成樹脂製キャップ。
【請求項２】
前記中栓を容器口頂部に密封装着した状態で、前記中栓と容器口部との間の回転摩擦抵抗が、前記中栓と前記キャップ本体との間の回転摩擦抵抗よりも大きく、且つ前記開封ラベルと前記中栓の円形中央突出面との回転剥離強度よりも大きく、前記キャップ本体を密封状態から開栓方向に回転させると前記開封ラベルが前記中栓の円形中央突出面から剥離するように構成してなる請求項１に記載の合成樹脂製キャップ。
【請求項３】
前記中栓を容器口頂部に密封装着した状態で、前記中栓と容器口部との間の回転摩擦抵抗が、前記中栓と前記キャップ本体との間の回転摩擦抵抗よりも大きく、且つ前記開封ラベルと前記キャップ本体の天壁外面との回転剥離強度よりも大きく、前記キャップ本体を密封状態から開栓方向に回転させると前記開封ラベルが前記キャップ本体の天壁外面から剥離するように構成してなる請求項１に記載の合成樹脂製キャップ。
【請求項４】
前記開封ラベルは、前記中栓の円形中央突出面又は前記キャップ本体の天壁外面との剥離によって、開封されたことを表示する開封済みマークが外部より目視可能に表示される請求項１〜２何れかに記載の合成樹脂製キャップ。
【請求項５】
前記キャップ本体のスカート壁下端部には、弱化線を介してタンパーエビデントバンドが設けられ、該弱化線の破断と前記開封済みマークの表示で２重にタンパーエビデンス性を備えている請求項４に記載の合成樹脂製キャップ。
【請求項６】
前記開封ラベルは、前記中栓の円形中央突出面又は前記キャップ本体の天壁外面との剥離によって、懸賞マークが外部より目視可能に表示される請求項１〜３何れかに記載の合成樹脂製キャップ。
【発明の詳細な説明】
【技術分野】
【０００１】
本発明は、合成樹脂製キャップ、特にキャップ本体と中栓の組合せからなりタンパーエビデンス性や懸賞表示機能を有する合成樹脂製キャップに関する。
【背景技術】
【０００２】
従来、例えば飲料等の容器（以下、容器の代表的な例としてボトルの場合について説明するが、ボトルに限るものではない）のキャップとして使用される合成樹脂キャップは、一般にタンパーエビデンス性を確保するためスカート壁下端に弱化部を介してタンパーエビデントバンド（以下、ＴＥバンドという）を有しており、ボトルに装着されたキャップは前記弱化部を破断しない限り開栓できない構造となっている。そのため、ボトルの未開封はブリッジが破断しているか否か目視することによって確認できる。一方、ボトルの密封は、キャップ天壁内面に嵌合したライナーとボトル口頂部との密着、あるいは合成樹脂製キャップ天壁内面に形成されたインナーリング及び又はアウターリングとボトル口頂部近傍の圧接によって図っている。したがって、悪戯等によりボトルの不正開栓があった場合、合成樹脂製キャップを開栓方向に回してボトル口頂部と、キャップのライナー、あるいはインナーリング及び又はアウターリングとが僅かでも離れて密封が破壊される前にブリッジが確実に破断されることが理想的である。
【０００３】
しかしながら、ＴＥバンドに設けた係止手段（例えばフラップ片等）をボトルの係止手段（たとえばカブラ等）が完全に係合している状態でキャップを装着することは構造上困難であり、通常図１に示すようにフラップの先端とカブラの下面とは僅かに隙間があり、この隙間分だけ蓋が上昇する間はブリッジに破断力が作用しないでキャップが上昇することになり、もしその間にボトル口頂部とライナーが離れると密封が破壊されるおそれがある。また、従来のＴＥバンドは、弱化線の破断とボトル頂部に嵌合しているインナーリングやアウターリング等との分離（即ち、密封性の破壊）がほぼ同時に行なわれるため、開栓初期トルクが大きいという問題点があった。このような問題点を解決するために、本出願人は、開封初期の必要トルクが過大になることなく、且つタンパーエビデンス性が毀損されることを確実に防止できる合成樹脂製キャップとして、ボトルの口頂部をシールするための合成樹脂製栓体と、ボトルの口頂部から栓体の離脱を防止するための合成樹脂製外側蓋体とからなる合成樹脂製キャップを提案した（特許文献１参照）。
【０００４】
一方、従来懸賞マークを付した懸賞付キャップが種々提案されているが、従来の懸賞付キャップは天壁内面に懸賞マークを付しそれをライナーで覆って、開封後にライナーの周辺部のシール部を残して中央部のみを剥離除去することによって当否を確認するようにしている（例えば、特許文献２参照）。あるいは、キャップ天壁裏面に懸賞マークを隠蔽するように樹脂パッドを設け、該樹脂パッドが懸賞マークが転写された状態で天面部から剥離可能にした樹脂製キャップが提案されている（例えば、特許文献３参照）。
【特許文献１】特開２００３‐１２８１０１号公報
【特許文献２】実公平２−３１４０５号公報
【特許文献３】特開２００１−３１５８２９号公報
【発明の開示】
【発明が解決しようとする課題】
【０００５】
従来の懸賞付キャップは、キャップ天壁裏面から、ボトルの密封に寄与する天面周辺部のライナーを残しながら、懸賞マークを隠蔽している部分を剥離除去しなければならないため、ライナーの剥離構造や前記特許文献３では樹脂パッドの構成が複雑になり、コスト高になるとともに、懸賞マークが見ずらい等の問題点があると共に、懸賞の当り外れを確認するために少なくとも二動作を必要とし、開栓と同時に当否を確認することができないという煩わしさがあった。また、懸賞に当って景品等と交換のために別途郵送する場合、当りが表示されているキャップ自体又は樹脂パットを郵送しなければならず、嵩張る等取り扱い性にも解決すべき問題点があった。一方、従来のキャップにおいて、タンパーエビデンス性を確保するためには、ＴＥバンドを設けることは必然であり、その分キャップの必要樹脂量が増大するという問題点があると共に、初期開封時の開栓トルクの低減、密封破壊前のＴＥバンドの確実な破断等に解決すべき問題点がある。
【０００６】
そこで、本発明は従来の上記問題点を一挙に解決しようとするものであり、ボトルの開封（密封破壊）を確実に目視でき、タンパーエビデンス性を一段と高めることができ、従来必要としていたＴＥバンドを省略することも可能であり、且つ懸賞表示等も簡単な構成で開栓と同時に表示することが可能であり、従来の懸賞表示付キャップの問題点も解消することができる合成樹脂製キャップを提供することを目的とする。
【課題を解決するための手段】
【０００７】
上記課題を解決する本発明の合成樹脂製キャップは、内周面にネジ山が形成されたスカート壁と中央部に円形開口部が形成されている天壁とを有しているキャップ本体、前記円形開口部に下方から嵌合しその天面が前記キャップ本体の天壁外面とほぼ同一面をなして突出している円形中央突出面と、該円形中央突出面の下面から外方に延び少なくとも容器口部頂面を覆うフランジ部とからなる中栓との組合せからなり、前記中栓の前記円形中央突出面とキャップ本体の天壁外面にわたって剥離表示機能を有する開封ラベルを貼付してなることを特徴とするものである。
【０００８】
前記中栓を容器口頂部に密封装着した状態で、前記中栓と容器口部との間の回転摩擦抵抗が、前記中栓と前記キャップ本体との間の回転摩擦抵抗よりも大きく、且つ前記開封ラベルと前記中栓の円形中央突出面との回転剥離強度よりも大きく、前記キャップ本体を密封状態から開栓方向に回転させると前記開封ラベルが前記中栓の円形中央突出面から剥離して文字や図柄等を表示するように構成することによって、開栓時のキャップ天面への表示機能を付加することができる。あるいは剥離部の他の形態として、前記中栓を容器口頂部に密封装着した状態で、前記中栓と容器口部との間の回転摩擦抵抗が、前記中栓と前記キャップ本体との間の回転摩擦抵抗よりも大きく、且つ前記開封ラベルと前記キャップ本体の天壁外面との回転剥離強度よりも大きく、前記キャップ本体を密封状態から開栓方向に回転させると前記開封ラベルが前記キャップ本体の天壁外面から剥離するように構成することも可能である。
【０００９】
前記開封ラベルは、前記中栓の円形中央突出面あるいはキャップ本体の天壁外面との剥離によって、開封されたことを表示する開封済みマークが外部より目視可能に表示されるようにすることによって、従来のＴＥバンドによらなくてもキャップのタンパーエビデンス性を確保することができる。その場合、前記キャップ本体のスカート壁下端部に、従来と同様に弱化線を介してタンパーエビデントバンドを設けると、該弱化線の破断と前記開封済みマークの表示で２重にタンパーエビデンス性を表示することができるキャップが得られる。さらに、前記開封ラベルは、前記中栓の円形中央突出面あるいはキャップ本体の天壁外面との剥離によって、懸賞マークが外部より目視可能に表示するようにすることによって、簡単な構成で操作のしやすく且つ見易く、しかも取り扱いが容易な合成樹脂製キャップを得ることができる。
【発明の効果】
【００１０】
本発明によれば、容器を開封（密封破壊）すると確実にキャップ天面に開封済みを表示する文字や画線等のマークが表示され、且つ従来のＴＥバンドの場合と比べて見易いので一段とＴＥ性に優れている。また、キャップを回転すると直ぐ表示が表れるので、応答性が非常に良く、例えばＴＥバンドの弱化線が完全に破断しない程度の回転でも確実に開栓動作が付加された履歴を判明することができる。したがって、ＴＥ性確保のために従来必要としていたＴＥバンドを省くことができ、ＴＥ性に優れたキャップを安価に提供することができる。キャップを回転させるとキャップ天面に表れるマークを、例えば懸賞マークにすることによって、開栓と同時に懸賞への当り外れが一目でき、従来のようにキャップ天壁裏面からライナーやパッドを剥離する必要がなく、一動作で当否を確認でき安価で取り扱い性の良い合成樹脂製キャップを得ることができる。また、懸賞マークの他に、占い等他の表示を付すことにより、開栓と同時に表示が表れ、キャップにエンターテインメント性等の付加価値を付与することができる。また、本発明のキャップによれば、ＴＥバンドを有していても、弱化線の破断と容器頂部に嵌合しているインナーリングやアウターリングとの分離が別々のタイミングで行われるので、開栓初期トルクを低減でき、開封性にも優れている。
【発明を実施するための最良の形態】
【００１１】
以下、本発明の実施形態を図面を基に詳細に説明する。
図１は、本発明の実施形態に係る合成樹脂製キャップの容器口に螺着した状態での正面断面図である。本実施形態の合成樹脂製キャップ１は、キャップ本体２と中栓３とから構成され、ポリプロピレンやポリエチレン等の合成樹脂で成形されている。キャップ本体２は、中央部が円形に開口している円形開口部６が形成されている天壁７とその周縁から垂下するスカート壁８とを有し、本実施形態ではスカート壁８の下端にはスリットとブリッジの組合せやスコア等開栓時に破断可能な適宜の弱化線１０を介してＴＥバンド９が設けられている。ＴＥバンド９には、ボトル５０のカブラ等の係合凸部５１と係止するフラップ等適宜の係止手段１２が設けられている。そして、スカート壁８の内周面にはボトル口部に形成された雄ネジ５２に螺合する雌ネジ１１が形成されている。天壁７の円形開口部６は少なくともボトル口５３の内径よりも内側に位置し、ボトル密封状態で天壁７の下面に後述する中栓３の円形中央突出面１７が係合する大きさに形成されている。そして、円形開口部６の内周縁部下面が下方に突出して環状突出部１３を形成し、中栓の環状段差面１８と係合するようになっている。なお、本実施形態では、後述するように開栓時に中栓をボトル口から外すにはキャップ本体に形成された雌ネジ１１の上方部が中栓の外周部２０の下面に係合することにより中栓を押上げるようにしているが、必要に応じて天壁７の下面から所定の間隔をおいてスカート壁内周面に中栓の外周縁部が係合する係合突条を形成してもよい。
【００１２】
一方、中栓３は、図１に断面を示すように、ボトル口頂部外径よりも大きくキャップ本体のスカート壁基部の内径よりも小さい外径を有する頂壁１５と該頂壁から垂下してボトル口端部内周面に係合する円筒状のインナーリング１６から構成されている。頂壁１５の中央部は、キャップ本体２の円形開口部６に嵌合してその天面がキャップ本体の天壁外面とほぼ同一平坦面を形成するように突出している円形中央突出面１７となっており、該円形中央突出面１７の外周部は環状フランジ部となっている。該環状フランジ部の上面は平坦面でもよいが、図示のように、外側に順次、環状段差面１８、環状突出面１９、外周部２０として凹凸面状に形成するのが望ましい。環状段差面１８はキャップ本体の環状突出部１３が係合する幅に形成され、キャップ本体をボトル口部に巻締した際、環状突出部１３の外周面と環状突出面１９の内周面が係止して締め過ぎを防止する。また、環状突出面１９は、キャップ本体の天壁内面が圧接して中栓３をボトル口部に押し付ける受圧面としても機能する。外周部２０の下面は、開栓時にキャップ本体のスカート壁内周面に形成されたネジ山頂部又は係止突起が係止して、キャップ本体と共にボトル口部から中栓を離脱させる機能を果たす。環状フランジ部の下面は、図示のようにインナーリング１６の外周部にボトル口頂部と密係合するように凹みとなっており、その外側が僅かに垂下してアウターリング的機能を果すようにして、インナーリング１６、凹み２１がボトル口頂部近傍に圧接することによって密封性能を保持するようになっている。なお、必要に応じて凹みの外周部をより長く垂下させてアウターリングを形成してもよい。
【００１３】
以上のような構成からなるキャップ本体２と中栓３の組合せからなる合成樹脂製キャップ１において、図１及び図２に示すように、キャップ本体２の天壁７の外面と中栓３の頂壁１５の円形中央突出面１７の両面に跨るように、開封ラベル３０を貼付してある。開封ラベル３０は、キャップに貼着してある状態では図２に示すように特別な文字や図柄等は見えないが、剥離するとその部分に文字や図柄が現れて目視できるような剥離表示機能を有するものであり、本実施形態では、開封ラベル３０が中栓３の円形中央突出面１７から剥離すると、開封ラベル３０に蓋が開封されたことを示す例えば図４に示すように「開封済」等の表示３１が該ラベル面に現れるようにしている。開封ラベル３０としては、市販の改竄防止シートが使用でき、例えば透明フイルムの裏面に剥離性を有するパターン化された剥離層、印刷層、クッション層、粘着層が順次形成され、剥離層と重なる印刷層の部分にラベルを剥した際に表れる文字や画線を印刷し、被装着物から剥離した際に該開封ラベルに例えば「開封済み」の文字が抜き文字となって表れるようにしたもの等が採用できる。なお、開封ラベルが剥離した際に、開封ラベルでの表示と共にマークが円形中央突出面１７に転写されるようにしてもよい。
【００１４】
本実施形態では、開封ラベルが蓋の開封の有無を表示するタンパーエビデンス性を持たせるために、次のような条件を満たすようにして貼着されている。即ち、開封ラベル３０の外周部近傍は、キャップ本体の天壁７の外面に強接着され、中栓の円形中央突出面１７には容易に剥離可能に弱接着されているのが好ましい。該弱接着は、ボトル開封初期における中栓とボトル口部との嵌合による回転摩擦抵抗よりも弱い回転力で剥離できるような強度関係を有するように貼着されている。なお、キャップ１を容器口頂部に密封装着した状態で、中栓３と容器口部５３との間の回転摩擦抵抗が、中栓３とキャップ本体２との間の回転摩擦抵抗よりも大きい。したがって、開栓に際して、図３に示すように、キャップ本体のスカート壁８を把持してキャップを回転させると、キャップ本体２はネジ山のリード角に沿って上昇するが、ボトル開口初期において、中栓３はインナーリング１６のボトル口頂部内周面との嵌合摩擦力により上昇せず密封状態を維持する。そのため、開封ラベル３０と中栓３の円形中央突出面１７との間に剥離力が作用し、開封ラベル３０が円形中央突出面１７から剥離し、開封ラベルに印刷されている隠れマークが円形中央突出面に転写されるとともに、開封ラベルに透明な部分として表れ、図４に示すように開封済み状態を表示する。円形中央突出面１７と開封ラベル３０との剥離は、主にキャップ本体の回転力によるせん断力により生じるので僅かな回転で直ぐに剥離し、ＴＥバンド９とキャップ本体との間の弱化線１０が破断する前に環状突出面と開封ラベルとの剥離が生じることになる。したがって、本発明によれば従来のＴＥバンドによる表示の場合と比べて、初期開口表示応答性に優れ、且つ開封済みを示す表示がキャップ天面に表れるので、容易に目視することができ、タンパーエビデンス性に優れている。
【００１５】
したがって、該開封ラベルのみでキャップにタンパーエビデンス性を付与することが可能であり、上記実施形態ではＴＥバンド９を設けてあるが、該ＴＥバンド９を省いてもタンパーエビデンス性が確保できる合成樹脂製キャップを得ることができる。その場合、ＴＥバンドを有してない分、キャップ製造時の使用樹脂量を低減させることができ、製造金型及び製造工程も単純化することができるので、大幅に合成樹脂製キャップのコストの低減を図ることができる。
【００１６】
以上のようにボトルの開栓に際して、キャップを回転させると、まず開封ラベル３０が中栓の円形中央突出面１７から剥離し、次いでＴＥバンド９の弱化線が破断されてＴＥバンドがスカート壁８から分離（図３の状態）する。その状態から、さらにキャップ本体２を回転させることによって、キャップ本体の雌ネジ１１の上端部が中栓３の外周部２０の下面に係合し、中栓を押上げながらさらに上昇し、中栓３と共にキャップ本体１をボトル口部から取外すことができる。
【００１７】
上記実施形態では、開封ラベル３０をキャップの開封を表示するタンパーエビデントラベルとして用いたタンパエビデントキャップの場合について説明したが、本発明は、開封時に自動的に開封ラベル３０に文字や図柄等が表示される機能を利用して、開封時に自動的に懸賞マークを表示することが可能な懸賞表示付キャップとして利用できる。その場合、前記実施形態と同様な構成において、開封済み等の表示にかえて表示部に例えば図５に示すように、「当たり」とか「はずれ」等の懸賞マーク３５を予め隠れ表示しておけば、消費者はキャップ開栓時に自動的に懸賞の当り外れを直ちに確認することができ、消費者の興味を高めることができる。従来の懸賞表示付キャップは、開栓後、キャップ天壁内面等の表示部を隠蔽しているライナー等を剥すなど、懸賞の当り外れを確認するためには少なくとも二動作を必要としているが、本発明によれば、開栓のみの１動作で懸賞の当り外れを即座に確認できるという利点がある。しかも当り表示ラベルをキャップ本体から簡単に剥して、応募用紙等に張り付けることができるなどの利点もある。また、懸賞表示の外に、占いやキャラクター等が開栓と同時にキャップ天面に表れるようにすると、従来のキャップにないエンターテインメント性を付与することができる。
【００１８】
以上、本発明の好適な実施形態を説明したが、本発明は上記実施形態に限るものでなく、種々の設計変更が可能である。例えば、上記実施形態では開封ラベルは、開栓に際して中栓の円形中央突出面から剥離してその部に表示するようにしたが、逆に開封ラベルの接着を円形中央突出面とは強接着とし、キャップ本体の天壁７の上面とは弱接着にすることによって、開栓時に開封ラベルの外周部がキャップ本体の天壁上面から剥離して、その部分に表示が表れるようにすることも可能である。また、その場合中栓の円形中央突出面は、必ずしも平坦面に限らず、キャップ本体の天壁７の外面にドーム状に突出するように形成することも可能である。
【産業上の利用可能性】
【００１９】
本発明の合成樹脂製キャップは、タンパーエビデンス性やエンターテインメント性に優れたキャップとして、内容物の種類によらず合成樹脂製やガラス製又は金属製のボトル等の容器、パウチのスパウトのキャップとして利用可能である。
【図面の簡単な説明】
【００２０】
【図１】本発明の実施形態に係る合成樹脂製キャップのボトル口に装着した状態での断面図である。
【図２】本発明の実施形態に係る合成樹脂製キャップの平面図である。
【図３】図１の状態から開栓途中の状態を表す断面図である。
【図４】図３の状態での合成樹脂製キャップの平面図である。
【図５】開封ラベルに懸賞マークを表示した場合の図４に相当する他の実施形態に係る合成樹脂製キャップの平面図である。
【符号の説明】
【００２１】
１  合成樹脂製キャップ                  ２  キャップ本体
３  中栓                                ６  円形開口部
７  天壁                                ８  スカート壁
９  タンパーエビデント（ＴＥ）バンド  １０  弱化線
１１  雌ネジ                            １３  環状突出部
１５  頂壁                              １６  インナーリング
１７  円形中央突出面                    １８  環状段差面
１９  環状突出面                        ２０  外周部下面
２１  凹み                              ３０  開封ラベル
３１  表示                              ３５  懸賞マーク
５３  ボトル口
【図１】
2006282178.tif 000003
【図２】
2006282178.tif 000004
【図３】
2006282178.tif 000005
【図４】
2006282178.tif 000006
【図５】
2006282178.tif 000007